(57)【要約】  表示パネルの外周部において明るさムラの発生を抑制することができる表示装置を提供する。表示装置は、表示パネルと、表示パネルの背面に向けて光を照射するバックライトと、表示パネルとバックライトとの間に配置された第１の光学シートと、第１の光学シートとバックライトとの間に配置された第２の光学シートと、第１の光学シートの外周部を支持する支持部材と、を備える。第１の光学シートは、第１のシート本体部と、第１のシート本体部の外周部から側方に突出し、支持部材に支持される第１の支持片と、を有する。第２の光学シートは、第２のシート本体部と、第２のシート本体部の外周部に平坦状に形成され、第１の支持片に対応して配置された平坦部と、を有する。
2018180653.tif 000002
【特許請求の範囲】
【請求項１】
表示パネルと、
前記表示パネルの背面に向けて光を照射するバックライトと、
前記表示パネルと前記バックライトとの間に配置された第１の光学シートと、
前記第１の光学シートと前記バックライトとの間に配置された第２の光学シートと、
前記第１の光学シートの外周部を支持する支持部材と、を備え、
前記第１の光学シートは、
第１のシート本体部と、
前記第１のシート本体部の外周部から側方に突出し、前記支持部材に支持される第１の支持片と、を有し、
前記第２の光学シートは、
第２のシート本体部と、
前記第２のシート本体部の外周部に平坦状に形成され、前記第１の支持片に対応して配置された平坦部と、を有する、
表示装置。
【請求項２】
前記表示装置は、さらに、前記第２の光学シートと前記バックライトとの間に配置された第３の光学シートを備え、
前記第３の光学シートは、
第３のシート本体部と、
前記第３のシート本体部の外周部から側方に突出し、前記第１の支持片と重ね合わされた状態で前記支持部材に支持される第２の支持片と、を有する、
請求項１に記載の表示装置。
【請求項３】
前記第１の支持片には、第１の挿通孔が形成され、
前記第２の支持片には、第２の挿通孔が形成され、
前記支持部材は、前記第１の挿通孔と前記第２の挿通孔とに挿通される突部を有する、
請求項２に記載の表示装置。
【請求項４】
前記第２の光学シートの透過率は、前記第１の光学シートおよび前記第３の光学シートの各々の透過率よりも高い、
請求項２又は３に記載の表示装置。
【請求項５】
前記第３の光学シートは、前記バックライトからの光を拡散させる拡散シートであり、
前記第２の光学シートは、前記第３の光学シートにより拡散された光を集光するプリズムシートであり、
前記第１の光学シートは、前記第２の光学シートにより集光された光を偏光させる反射型偏光シートである、
請求項４に記載の表示装置。
【発明の詳細な説明】
【技術分野】
【０００１】
本開示は、画像を表示するための表示装置に関する。
【背景技術】
【０００２】
画像を表示するための表示装置の一つとして、液晶テレビジョン受像機がある（例えば、特許文献１参照）。液晶テレビジョン受像機では、液晶セルとバックライトとの間に、バックライトからの光を拡散等するための光学シートが配置されている。光学シートは、シート本体部と、シート本体部の外周部から側方に突出した複数の支持片と、を有している。複数の支持片の各々は、バックライトの導光板の外周部に沿って配置されたモールドフレームに固定されている。
【先行技術文献】
【特許文献】
【０００３】
【特許文献１】特開２０１４−２０３６０２号公報
【発明の概要】
【０００４】
本開示は、表示パネルの外周部において、明るさムラの発生を抑制することができる表示装置を提供する。
【０００５】
本開示における表示装置は、表示パネルと、前記表示パネルの背面に向けて光を照射するバックライトと、前記表示パネルと前記バックライトとの間に配置された第１の光学シートと、前記第１の光学シートと前記バックライトとの間に配置された第２の光学シートと、前記第１の光学シートの外周部を支持する支持部材と、を備え、前記第１の光学シートは、第１のシート本体部と、前記第１のシート本体部の外周部から側方に突出し、前記支持部材に支持される第１の支持片と、を有し、前記第２の光学シートは、第２のシート本体部と、前記第２のシート本体部の外周部に平坦状に形成され、前記第１の支持片に対応して配置された平坦部と、を有する。
【０００６】
本開示における表示装置は、表示パネルの外周部において、明るさムラの発生を抑制することができる。
【図面の簡単な説明】
【０００７】
【図１】図１は、実施の形態１における表示装置の正面側の外観の一例を模式的に示す斜視図である。
【図２】図２は、実施の形態１における表示装置が備える表示ユニットの構成の一例を模式的に示す分解斜視図である。
【図３】図３は、実施の形態１における表示装置の部分断面図である。
【図４】図４は、実施の形態１における表示装置の部分断面図である。
【図５】図５は、実施の形態１における表示装置が備える複数の光学シートの構成の一例を模式的に示す分解斜視図である。
【図６】図６は、実施の形態１における表示装置が備える表示ユニットの外観の一例を模式的に示す図である。
【図７】図７は、実施の形態１における表示装置の効果を説明するための図である。
【発明を実施するための形態】
【０００８】
（本開示の基礎となった知見）
本願発明者らは、特許文献１に開示されている液晶テレビジョン受像機に関して、以下の問題が生じることを見出した。
【０００９】
特許文献１に開示された液晶テレビジョン受像機では、例えば、比較的高い透過率を有するプリズムシートを光学シートとして用いた場合に、複数の支持片の各々における反射光の影響により、液晶セルの外周部において明るさムラが発生する場合がある。
【００１０】
本開示は、表示パネルの外周部において、明るさムラの発生を抑制することができる表示装置を提供する。
【００１１】
以下、適宜図面を参照しながら、実施の形態を詳細に説明する。ただし、必要以上に詳細な説明は省略する場合がある。例えば、すでによく知られた事項の詳細説明、および実質的に同一の構成に対する重複説明等を省略する場合がある。これは、以下の説明が不必要に冗長になるのを避け、当業者の理解を容易にするためである。
【００１２】
なお、添付図面および以下で説明する実施の形態は、当業者が本開示を十分に理解できるように提供されるのであって、いずれも本開示の一例を示すものである。以下の実施の形態で示される数値、形状、材料、構成要素、構成要素の配置位置および接続形態、等は、一例であり、これらにより特許請求の範囲に記載の主題を限定することは意図されていない。また、以下の実施の形態における構成要素のうち、最上位概念を示す独立請求項に記載されていない構成要素は、独立請求項に示された構成要素に任意に付加可能な構成要素である。
【００１３】
また、各図は、必ずしも厳密に図示されたものではなく、本開示をわかりやすく示すために適宜省略等を行った模式図である。また、各図において、実質的に同じ構成要素については同じ符号を付し、説明を省略または簡略化する場合がある。
【００１４】
なお、以下の実施の形態では、各図面にＸ軸、Ｙ軸、Ｚ軸の３軸を示し、必要に応じて、ＸＹＺ軸を用いて説明を行う。本実施の形態では、便宜的に、設置面に設置された表示装置２の表示ユニット６の長辺に平行（実質的に平行）な方向をＸ軸方向とし、表示ユニット６の短辺に平行（実質的に平行）な方向をＺ軸方向とし、Ｘ軸およびＺ軸の双方に直交する方向をＹ軸方向とする。また、表示装置２において設置面から相対的に遠い方を上、設置面に相対的に近い方を下とし、下から上に向かう方向をＺ軸正方向とする。また、表示ユニット６の表面（画像を表示する面）を前面または正面とし、前面の反対側の面を背面または後面とする。また、表示ユニット６の前面から背面に向かう方向をＹ軸正方向とする。したがって、表示装置２のユーザは、表示装置２に対してＹ軸負方向側から、表示装置２に表示される画像を観賞することになる。また、表示ユニット６の前面に向かって左から右に向かう方向をＸ軸正方向とする。また、以下の実施の形態では、水平面（Ｘ−Ｙ平面）に実質的に平行な設置面に載置された表示装置２に基づいて、各部の説明を行う。例えば、設置面に設置ができない分解された状態の表示装置２または表示装置２を構成する部品の説明においても、Ｚ軸正方向を上とし、Ｚ軸負方向を下とし、Ｘ軸Ｙ軸についても他の図面と同様とする。しかし、これらの方向は便宜的に示す相対的なものであり、絶対的なものではない。また、これらの方向により本開示が限定されるものでもない。
【００１５】
（実施の形態１）
以下、図１〜図７を参照しながら、実施の形態１について説明する。
【００１６】
［１−１．表示装置の全体構成］
まず、図１〜図４を参照しながら、実施の形態１に係る表示装置２の全体構成について説明する。
【００１７】
図１は、実施の形態１における表示装置２の正面側の外観の一例を模式的に示す斜視図である。
【００１８】
図２は、実施の形態１における表示装置２が備える表示ユニット６の構成の一例を模式的に示す分解斜視図である。
【００１９】
図３および図４は、実施の形態１における表示装置２の部分断面図である。図３には、図１におけるＩＩＩ−ＩＩＩ線断面図（表示ユニット６の上端部の部分断面図）を示す。図４には、図１におけるＩＶ−ＩＶ線断面図（表示ユニット６の下端部の部分断面図）を示す。
【００２０】
本実施の形態において、表示装置２は、例えばフラットパネルディスプレイ型の液晶テレビジョン受像機である。図１に示すように、表示装置２は、筐体４と、筐体４の内部に配置された表示ユニット６と、筐体４を支持するスタンド８と、を備えている。なお、表示装置２は何ら液晶テレビジョン受像機に限定されるものではない。本実施の形態における表示装置２は、光源にバックライトを用いる表示装置であればよく、例えば液晶モニター等であってもよい。
【００２１】
筺体４は、図１に示すフロントキャビネット１０と、図示しないリアキャビネットと、を有している。フロントキャビネット１０は、正面視で（Ｙ軸方向に見たときに）矩形状の枠状に形成されている。フロントキャビネット１０は、表示ユニット６が有する液晶セル２２の外周部を、表示装置２の正面側から（Ｙ軸負方向側から）覆っている。リアキャビネット（図示せず）は、下フレーム１２（図２参照）を表示装置２の背面側から（Ｙ軸正方向側から）覆っている。そして、フロントキャビネット１０とリアキャビネットとは、互いに連結されている。
【００２２】
図２〜図４に示すように、表示ユニット６は、下フレーム１２と、バックライト１４と、モールドフレーム１６ａ、１６ｂ、１６ｃおよび１６ｄ（１６ａ〜１６ｄ）と、光学シート１８ａ、１８ｂ、１８ｃおよび１８ｄ（１８ａ〜１８ｄ）と、複数の固定金具２０と、液晶セル２２と、ベゼル２４と、を備えている。なお、図２では、固定金具２０の図示を省略している。
【００２３】
下フレーム１２は、バックライト１４を表示装置２の背面側から支持するための金属製のシャーシである。図２〜図４に示すように、下フレーム１２は、正面視で（Ｙ軸方向に見たときに）矩形状の支持部２６と、支持部２６の外周部から液晶セル２２側に向けて（Ｙ軸負方向に）略垂直に延伸する側壁部２８と、を有している。
【００２４】
バックライト１４は、例えばエッジライト型のバックライトである。バックライト１４は、放熱板３２ａおよび３２ｂと、ＬＥＤ（Ｌｉｇｈｔ  Ｅｍｉｔｔｉｎｇ  Ｄｉｏｄｅ）バー３４ａおよび３４ｂと、導光板３６と、反射シート３８と、を有している。
【００２５】
放熱板３２ａは、下フレーム１２の支持部２６の上端部（Ｚ軸正方向側の端部）側に取り付けられている。放熱板３２ｂは、下フレーム１２の支持部２６の下端部（Ｚ軸負方向側の端部）側に取り付けられている。放熱板３２ａおよび３２ｂは、熱伝導性の高い金属、例えばアルミニウム等、で形成されている。
【００２６】
図３に示すように、放熱板３２ａは、放熱部４０ａと、放熱部４０ａの一端部（Ｚ軸正方向側の端部）から液晶セル２２側に向けて（Ｙ軸負方向に）略垂直に延伸する取付部４２ａと、を有している。すなわち、放熱板３２ａは、断面形状（Ｙ−Ｚ平面上での断面形状）が略Ｌ字状になるように、形成されている。放熱板３２ａは、例えばネジ（図示せず）等の固定部材によって、下フレーム１２の支持部２６の上端部側（Ｚ軸正方向側の端部付近）に取り付けられている。取付部４２ａは、導光板３６の上端部（Ｚ軸正方向側の端部）における上側面４４に対向して（Ｚ軸方向に対向して）配置されている。
【００２７】
図４に示すように、放熱板３２ｂは、放熱部４０ｂと、放熱部４０ｂの一端部（Ｚ軸負方向側の端部）から液晶セル２２側に向けて（Ｙ軸負方向に）略垂直に延伸する取付部４２ｂと、を有している。すなわち、放熱板３２ｂは、断面形状（Ｙ−Ｚ平面上での断面形状）が略Ｌ字状になるように、形成されている。放熱板３２ｂは、例えばネジ（図示せず）等の固定部材によって、下フレーム１２の支持部２６の下端部側（Ｚ軸負方向側の端部付近）に取り付けられている。取付部４２ｂは、導光板３６の下端部（Ｚ軸負方向側の端部）における下側面４５に対向して（Ｚ軸方向に対向して）配置されている。
【００２８】
ＬＥＤバー３４ａおよび３４ｂの各々は、光を発する光源である。ＬＥＤバー３４ａは放熱板３２ａに取り付けられている。ＬＥＤバー３４ｂは放熱板３２ｂに取り付けられている。
【００２９】
図３に示すように、ＬＥＤバー３４ａは、基板４６ａと、複数のＬＥＤ４８ａ（図３には、１つのＬＥＤ４８ａのみ示す）と、を有している。基板４６ａは、表示ユニット６の長手方向（Ｘ軸方向）に延伸した長尺状のプリント配線基板である。基板４６ａは、例えば熱伝導性を有する両面粘着テープ（図示せず）により、放熱板３２ａの取付部４２ａに取り付けられている。基板４６ａは、熱伝導性の高い金属、例えばアルミニウム等、で形成されている。
【００３０】
複数のＬＥＤ４８ａは、基板４６ａ上に実装されている。複数のＬＥＤ４８ａは、基板４６ａの長手方向（Ｘ軸方向）に沿って一列に、かつ互いに間隔を空けて、配置されている。複数のＬＥＤ４８ａの各々は、例えばチップ型のＬＥＤである。
【００３１】
図４に示すように、ＬＥＤバー３４ｂは、基板４６ｂと、複数のＬＥＤ４８ｂ（図４には、１つのＬＥＤ４８ｂのみ示す）と、を有している。基板４６ｂは、表示ユニット６の長手方向（Ｘ軸方向）に延伸した長尺状のプリント配線基板である。基板４６ｂは、例えば熱伝導性を有する両面粘着テープ（図示せず）により、放熱板３２ｂの取付部４２ｂに取り付けられている。基板４６ｂは、熱伝導性の高い金属、例えばアルミニウム等、で形成されている。
【００３２】
複数のＬＥＤ４８ｂは、基板４６ｂ上に実装されている。複数のＬＥＤ４８ｂは、基板４６ｂの長手方向（Ｘ軸方向）に沿って一列に、かつ互いに間隔を空けて、配置されている。複数のＬＥＤ４８ｂの各々は、例えばチップ型のＬＥＤである。
【００３３】
導光板３６は、正面視で（Ｙ軸方向に見たときに）矩形状の板状に形成されている。導光板３６は、例えばアクリル樹脂を押出成形することにより形成される。
【００３４】
図３および図４に示すように、導光板３６は、液晶セル２２との間に光学シート１８ａ、１８ｂ、１８ｃおよび１８ｄを挟み、かつ、導光板３６の主面５０（Ｙ軸負方向側の面）が、液晶セル２２の背面５２（表示面６０と反対側の面、Ｙ軸正方向側の面）に対向する向きに、配置されている。導光板３６は、図３に示すように、導光板３６の背面５６（主面５０と反対側の面、Ｙ軸正方向側の面）の上端部（Ｚ軸正方向側の端部）の近傍が、反射シート３８およびクッション部材５４を介して、放熱板３２ａの放熱部４０ａに支持されており、かつ、図４に示すように、背面５６の下端部（Ｚ軸負方向側の端部）の近傍が、反射シート３８およびクッション部材５４を介して、放熱板３２ｂの放熱部４０ｂに支持されている。また、導光板３６は、図３に示すように、上端部（Ｚ軸正方向側の端部）の上側面４４がＬＥＤバー３４ａに対向し、かつ、図４に示すように、下端部（Ｚ軸負方向側の端部）の下側面４５がＬＥＤバー３４ｂに対向する位置に配置されている。したがって、ＬＥＤバー３４ａが備える複数のＬＥＤ４８ａから出射される光は、導光板３６の上側面４４に入射する。また、ＬＥＤバー３４ｂが備える複数のＬＥＤ４８ｂから出射される光は、導光板３６の下側面４５に入射する。
【００３５】
反射シート３８は、正面視で（Ｙ軸方向に見たときに）導光板３６と実質的に同じ大きさおよび同じ形状に形成されている。そして、反射シート３８は、導光板３６の背面５６側に配置され、導光板３６の背面５６を覆っている。反射シート３８は、導光板３６の上側面４４および下側面４５から入射した光のうち、背面５６側に進行する光を、主面５０に向けて反射する。導光板３６の主面５０から出射する光には、反射シート３８で反射した光が含まれており、主面５０から出射した光は液晶セル２２の背面５２（Ｙ軸正方向側の面）に入射する。
【００３６】
図２に示すように、モールドフレーム１６ａ、１６ｂ、１６ｃおよび１６ｄの各々は、長尺状に形成されている。モールドフレーム１６ａは、下フレーム１２の上端部（Ｚ軸正方向側の端部）に配置された側壁部２８に取り付けられている。モールドフレーム１６ｂは、下フレーム１２の下端部（Ｚ軸負方向側の端部）に配置された側壁部２８に取り付けられている。モールドフレーム１６ｃは、下フレーム１２の右端部（Ｘ軸正方向側の端部）に配置された側壁部２８に取り付けられている。モールドフレーム１６ｄは、下フレーム１２の左端部（Ｘ軸負方向側の端部）に配置された側壁部２８に取り付けられている。したがって、モールドフレーム１６ａ、１６ｂ、１６ｃおよび１６ｄは、正面視したときに（Ｙ軸方向に見たときに）、導光板３６の外周部に沿って、矩形状の枠状に配置されている。
【００３７】
図３および図４に示すように、モールドフレーム１６ａ、１６ｂ、１６ｃおよび１６ｄの各々は、クッション部材５８を介して、導光板３６の主面５０の外周部に支持されている。モールドフレーム１６ａは、光学シート１８ａ、１８ｂ、１８ｃおよび１８ｄの各々の外周部を支持するための機能を有している。モールドフレーム１６ｂは、光学シート１８ａおよび１８ｄの各々の外周部を支持するための機能を有している。モールドフレーム１６ａおよび１６ｂの各構成については後述する。
【００３８】
図２〜図４に示すように、光学シート１８ａ、１８ｂ、１８ｃおよび１８ｄは、表示ユニット６の背面側から前面側に向かって（Ｙ軸負方向に）光学シート１８ａ、１８ｂ、１８ｃ、１８ｄの順番で重ね合わされており、その重ね合わされた状態で、液晶セル２２と導光板３６との間に配置されている。したがって、光学シート１８ａは導光板３６側に配置され、光学シート１８ｄは液晶セル２２側に配置されている。
【００３９】
光学シート１８ａ、１８ｂ、１８ｃおよび１８ｄの各々の厚みは、例えば０．１ｍｍ〜０．５ｍｍである。光学シート１８ａは、導光板３６の主面５０から出射した光を拡散するための拡散シートである。光学シート１８ｂおよび１８ｃの各々は、光学シート１８ａから出射した光を集光するためのプリズムシートである。光学シート１８ｄは、光学シート１８ｃから出射した光を偏光させるための反射型偏光シートである。反射型偏光シートには、例えば、住友スリーエム株式会社製のＤＢＥＦ（登録商標）（Ｄｕａｌ  Ｂｒｉｇｈｔｎｅｓｓ  Ｅｎｈａｎｃｅｍｅｎｔ  Ｆｉｌｍ）シート、等がある。光学シート１８ｂの可視光の透過率は、光学シート１８ａおよび１８ｄの各々の可視光の透過率よりも高い。また、光学シート１８ｃの可視光の透過率は、光学シート１８ａおよび１８ｄの各々の可視光の透過率よりも高い。
【００４０】
光学シート１８ａ、１８ｂ、１８ｃおよび１８ｄの各々の上端部（外周部におけるＺ軸正方向側の端部）は、モールドフレーム１６ａに支持されている。また、光学シート１８ａおよび１８ｄの各々の下端部（外周部におけるＺ軸負方向側の端部）は、モールドフレーム１６ｂに支持されている。なお、本実施の形態における表示ユニット６において、光学シート１８ｂおよび１８ｃの各々の下端部（外周部におけるＺ軸負方向側の端部）は、モールドフレーム１６ｂに支持されていない。光学シート１８ａ、１８ｂ、１８ｃおよび１８ｄの構成の詳細については後述する。
【００４１】
図３、図４および後述する図６に示すように、複数の固定金具２０は、モールドフレーム１６ａおよび１６ｂの各々に対応した位置に配置されている。モールドフレーム１６ａに対応した位置に配置された複数の固定金具２０は、光学シート１８ａ、１８ｂ、１８ｃおよび１８ｄの各々の上端部（Ｚ軸正方向側の端部）をモールドフレーム１６ａに固定する。また、モールドフレーム１６ｂに対応した位置に配置された複数の固定金具２０は、光学シート１８ａおよび１８ｄの各々の下端部（Ｚ軸負方向側の端部）をモールドフレーム１６ｂに固定する。なお、本実施の形態における表示ユニット６では、モールドフレーム１６ａに対応した位置に配置された複数の固定金具２０は、光学シート１８ｂおよび１８ｃの各々の上端部（Ｚ軸正方向側の端部）をモールドフレーム１６ａに固定するが、モールドフレーム１６ｂに対応した位置に配置された複数の固定金具２０は、光学シート１８ｂおよび１８ｃの各々の下端部（Ｚ軸負方向側の端部）をモールドフレーム１６ｂに固定しない。
【００４２】
液晶セル２２は、正面視で（Ｙ軸方向に見たときに）矩形状の板状に形成されている。液晶セル２２の正面側（Ｙ軸負方向側の面）には、画像を表示するための表示面６０が形成されている。液晶セル２２の外周部は、クッション部材６２を介してモールドフレーム１６ａ、１６ｂ、１６ｃおよび１６ｄの各々に支持されている。後述する図６に示すように、クッション部材６２は、モールドフレーム１６ａ、１６ｂ、１６ｃおよび１６ｄの全周に亘って貼り付けられている。
【００４３】
ベゼル２４は、正面視で（Ｙ軸方向に見たときに）矩形状の枠状に形成され、液晶セル２２の表示面６０の外周部を覆うようにして配置されている。ベゼル２４は、例えばネジ（図示せず）等により、下フレーム１２の側壁部２８に取り付けられている。
【００４４】
［１−２．光学シートの構成］
次に、図５を参照しながら、光学シート１８ａ、１８ｂ、１８ｃおよび１８ｄの構成について説明する。
【００４５】
図５は、実施の形態１における表示装置２が備える光学シート１８ａ、１８ｂ、１８ｃおよび１８ｄの構成の一例を模式的に示す分解斜視図である。
【００４６】
図５に示すように、光学シート１８ａは、正面視で（Ｙ軸方向に見たときに）矩形状のシート本体部６４ａと、シート本体部６４ａの上端部（外周部におけるＺ軸正方向側の端部）から上方（Ｚ軸正方向）に突出した複数（例えば、３つ）の支持片６６ａと、シート本体部６４ａの下端部（外周部におけるＺ軸負方向側の端部）から下方（Ｚ軸負方向）に突出した複数（例えば、３つ）の支持片６８ａと、を有している。複数（例えば、３つ）の支持片６６ａは、シート本体部６４ａの上端部に沿って（Ｘ軸方向に）配置され、かつ互いに間隔を空けて配置されている。複数（例えば、３つ）の支持片６６ａの各々には、シート本体部６４ａの長手方向（Ｘ軸方向）に延伸した長孔状の挿通孔７０ａが形成されている。複数（例えば、３つ）の支持片６８ａは、シート本体部６４ａの下端部に沿って（Ｘ軸方向に）配置され、かつ互いに間隔を空けて配置されている。複数（例えば、３つ）の支持片６８ａの各々には、シート本体部６４ａの長手方向（Ｘ軸方向）に延伸した長孔状の挿通孔７２ａが形成されている。
【００４７】
図５に示すように、光学シート１８ｂは、正面視で（Ｙ軸方向に見たときに）矩形状のシート本体部６４ｂと、シート本体部６４ｂの上端部（外周部におけるＺ軸正方向側の端部）から上方（Ｚ軸正方向）に突出した複数（例えば、３つ）の支持片６６ｂと、シート本体部６４ｂの下端部（外周部におけるＺ軸負方向側の端部）に平端状に形成された複数（例えば、３つ）の平坦部７４ｂと、を有している。複数（例えば、３つ）の支持片６６ｂは、シート本体部６４ｂの上端部に沿って（Ｘ軸方向に）配置され、かつ互いに間隔を空けて配置されている。複数（例えば、３つ）の支持片６６ｂの配置間隔は、光学シート１８ａの複数（例えば、３つ）の支持片６６ａの配置間隔と実質的に同じである。複数（例えば、３つ）の支持片６６ｂの各々には、シート本体部６４ｂの長手方向（Ｘ軸方向）に延伸した長孔状の挿通孔７０ｂが形成されている。複数（例えば、３つ）の平坦部７４ｂは、シート本体部６４ｂの下端部に沿って（Ｘ軸方向に）配置され、かつ互いに間隔を空けて配置されている。複数（例えば、３つ）の平坦部７４ｂの配置間隔は、光学シート１８ａの複数（例えば、３つ）の支持片６８ａの配置間隔と実質的に同じである。なお、本実施の形態において、上述の「シート本体部の端部に沿って平坦部が配置されている」とは、シート本体部の端部に支持片が形成されておらず、その端部が平坦であることを表す。したがって、本実施の形態に示す表示装置２において、シート本体部６４ｂの下端部には、光学シート１８ａの支持片６８ａのような、下方（Ｚ軸負方向）に突出する支持片は形成されておらず、シート本体部６４ｂの下端部は、その長さ方向（Ｘ軸方向）に平端である。
【００４８】
図５に示すように、光学シート１８ｃは、正面視で（Ｙ軸方向に見たときに）矩形状のシート本体部６４ｃと、シート本体部６４ｃの上端部（外周部におけるＺ軸正方向側の端部）から上方（Ｚ軸正方向）に突出した複数（例えば、３つ）の支持片６６ｃと、シート本体部６４ｃの下端部（外周部におけるＺ軸負方向側の端部）に平端状に形成された複数（例えば、３つ）の平坦部７４ｃと、を有している。複数（例えば、３つ）の支持片６６ｃは、シート本体部６４ｃの上端部に沿って（Ｘ軸方向に）配置され、かつ互いに間隔を空けて配置されている。複数（例えば、３つ）の支持片６６ｃの配置間隔は、光学シート１８ａの複数（例えば、３つ）の支持片６６ａの配置間隔と実質的に同じである。複数（例えば、３つ）の支持片６６ｃの各々には、シート本体部６４ｃの長手方向（Ｘ軸方向）に延伸した長孔状の挿通孔７０ｃが形成されている。複数（例えば、３つ）の平坦部７４ｃは、シート本体部６４ｃの下端部に沿って（Ｘ軸方向に）配置され、かつ互いに間隔を空けて配置されている。複数（例えば、３つ）の平坦部７４ｃの配置間隔は、光学シート１８ａの複数（例えば、３つ）の支持片６８ａの配置間隔と実質的に同じである。なお、上述したように、本実施の形態において、「シート本体部の端部に沿って平坦部が配置されている」とは、シート本体部の端部に支持片が形成されておらず、その端部が平坦であることを表す。したがって、本実施の形態に示す表示装置２において、シート本体部６４ｃの下端部には、光学シート１８ａの支持片６８ａのような、下方（Ｚ軸負方向）に突出する支持片は形成されておらず、シート本体部６４ｃの下端部は、その長さ方向（Ｘ軸方向）に平端である。
【００４９】
図５に示すように、光学シート１８ｄは、正面視で（Ｙ軸方向に見たときに）矩形状のシート本体部６４ｄと、シート本体部６４ｄの上端部（外周部におけるＺ軸正方向側の端部）から上方（Ｚ軸正方向）に突出した複数（例えば、３つ）の支持片６６ｄと、シート本体部６４ｄの下端部（外周部におけるＺ軸負方向側の端部）から下方（Ｚ軸負方向）に突出した複数（例えば、３つ）の支持片６８ｄと、を有している。複数（例えば、３つ）の支持片６６ｄは、シート本体部６４ｄの上端部に沿って（Ｘ軸方向に）配置され、かつ互いに間隔を空けて配置されている。複数（例えば、３つ）の支持片６６ｄの配置間隔は、光学シート１８ａの複数（例えば、３つ）の支持片６６ａの配置間隔と実質的に同じである。複数（例えば、３つ）の支持片６６ｄの各々には、シート本体部６４ｄの長手方向（Ｘ軸方向）に延伸した長孔状の挿通孔７０ｄが形成されている。複数（例えば、３つ）の支持片６８ｄは、シート本体部６４ｄの下端部に沿って（Ｘ軸方向に）配置され、かつ互いに間隔を空けて配置されている。複数（例えば、３つ）の支持片６８ｄの配置間隔は、光学シート１８ａの複数（例えば、３つ）の支持片６８ａの配置間隔と実質的に同じである。複数（例えば、３つ）の支持片６８ｄの各々には、シート本体部６４ｄの長手方向（Ｘ軸方向）に延伸した長孔状の挿通孔７２ｄが形成されている。
【００５０】
［１−３．光学シートの支持構造］
次に、図３、図４および図６を参照しながら、光学シート１８ａ〜１８ｄの支持構造について説明する。
【００５１】
図６は、実施の形態１における表示装置２が備える表示ユニット６の外観の一例を模式的に示す図である。
【００５２】
図３および図６に示すように、光学シート１８ａ、１８ｂ、１８ｃおよび１８ｄの各々の上端部（Ｚ軸正方向側の端部）は、複数（例えば、３つ）の固定金具２０でモールドフレーム１６ａに固定されている。モールドフレーム１６ａには、複数（例えば、３つ）の切り欠き部７６が形成されている。複数（例えば、３つ）の切り欠き部７６は、モールドフレーム１６ａの長手方向（Ｘ軸方向）に沿って配置され、かつ互いに間隔を空けて配置されている。複数（例えば、３つ）の切り欠き部７６の配置位置は、複数（例えば、３つ）の支持片６６ａ（６６ｂ、６６ｃ、６６ｄ）の配置位置に対応しており、複数（例えば、３つ）の切り欠き部７６の各々には、相互に重ね合わされた支持片６６ａ、６６ｂ、６６ｃおよび６６ｄが配置されている。複数（例えば、３つ）の切り欠き部７６の各々には、モールドフレーム１６ａの長手方向（Ｘ軸方向）に延伸した横長の突部７８が形成されている。複数（例えば、３つ）の切り欠き部７６の各々に形成された突部７８は、支持片６６ａの挿通孔７０ａと、支持片６６ｂの挿通孔７０ｂと、支持片６６ｃの挿通孔７０ｃと、支持片６６ｄの挿通孔７０ｄと、に挿通されている。なお、相互に重ね合わされた支持片６６ａ、６６ｂ、６６ｃおよび６６ｄは、固定金具２０によりモールドフレーム１６ａの切り欠き部７６に固定されている。図３に示すように、相互に重ね合わされた支持片６６ａ、６６ｂ、６６ｃおよび６６ｄは、液晶セル２２の上端部（Ｚ軸正方向側の端部）に対向する位置に配置されている。
【００５３】
また、図４および図６に示すように、光学シート１８ａおよび１８ｄの各々の下端部（Ｚ軸負方向側の端部）は、複数（例えば、３つ）の固定金具２０でモールドフレーム１６ｂに固定されている。モールドフレーム１６ｂには、複数（例えば、３つ）の切り欠き部８０が形成されている。複数（例えば、３つ）の切り欠き部８０は、モールドフレーム１６ｂの長手方向（Ｘ軸方向）に沿って配置され、かつ互いに間隔を空けて配置されている。複数（例えば、３つ）の切り欠き部８０の配置位置は、複数（例えば、３つ）の支持片６８ａ（６８ｄ）の配置位置に対応しており、複数（例えば、３つ）の切り欠き部８０の各々には、相互に重ね合わされた支持片６８ａおよび６８ｄが配置されている。複数（例えば、３つ）の切り欠き部８０の各々には、モールドフレーム１６ｂの長手方向（Ｘ軸方向）に延伸した横長の突部８２が形成されている。複数（例えば、３つ）の切り欠き部８０の各々に形成された突部８２は、支持片６８ａの挿通孔７２ａと、支持片６８ｄの挿通孔７２ｄと、に挿通されている。なお、相互に重ね合わされた支持片６８ａおよび６８ｄは、固定金具２０によりモールドフレーム１６ｂの切り欠き部８０に固定されている。このとき、光学シート１８ｂの平坦部７４ｂおよび光学シート１８ｃの平坦部７４ｃは、光学シート１８ａのシート本体部６４ａの下端部（Ｚ軸負方向側の端部）と光学シート１８ｄのシート本体部６４ｄの下端部（Ｚ軸負方向側の端部）との間に、相互に重ね合わされた状態で挟持されている。そして、光学シート１８ｂの平坦部７４ｂおよび光学シート１８ｃの平坦部７４ｃは、モールドフレーム１６ｂの切り欠き部８０には固定されていない。図４に示すように、相互に重ね合わされた支持片６８ａおよび６８ｄは、液晶セル２２の下端部（Ｚ軸負方向側の端部）に対向する位置に配置されている。
【００５４】
［１−４．効果等］
以上のように、本実施の形態において、表示装置は、表示パネルと、表示パネルの背面に向けて光を照射するバックライトと、表示パネルとバックライトとの間に配置された第１の光学シートと、第１の光学シートとバックライトとの間に配置された第２の光学シートと、第１の光学シートの外周部を支持する支持部材と、を備える。第１の光学シートは、第１のシート本体部と、第１のシート本体部の外周部から側方に突出し、支持部材に支持される第１の支持片と、を有する。第２の光学シートは、第２のシート本体部と、第２のシート本体部の外周部に平坦状に形成され、第１の支持片に対応して配置された平坦部と、を有する。
【００５５】
なお、表示装置２は表示装置の一例である。液晶セル２２は表示パネルの一例である。バックライト１４はバックライトの一例である。光学シート１８ｄは第１の光学シートの一例である。モールドフレーム１６ｂは支持部材の一例である。下方（Ｚ軸負方向）は側方の一例である。光学シート１８ｂおよび１８ｃは、それぞれが第２の光学シートの一例である。シート本体部６４ｄは第１のシート本体部の一例である。支持片６８ｄは第１の支持片の一例である。シート本体部６４ｂおよび６４ｃは、それぞれが第２のシート本体部の一例である。平坦部７４ｂおよび７４ｃは、それぞれが平坦部の一例である。
【００５６】
例えば、実施の形態１に示した例では、表示装置２は、液晶セル２２と、液晶セル２２の背面に向けて光を照射するバックライト１４と、液晶セル２２とバックライト１４との間に配置された光学シート１８ｄと、光学シート１８ｄとバックライト１４との間に配置された光学シート１８ｂおよび１８ｃと、光学シート１８ｄの外周部を支持するモールドフレーム１６ｂと、を備える。光学シート１８ｄは、シート本体部６４ｄと、シート本体部６４ｄの外周部から側方（例えば、下方、Ｚ軸負方向）に突出し、モールドフレーム１６ｂに支持される支持片６８ｄと、を有する。光学シート１８ｂは、シート本体部６４ｂと、シート本体部６４ｂの外周部に平坦状に形成され、支持片６８ｄに対応して配置された平坦部７４ｂと、を有する。光学シート１８ｃは、シート本体部６４ｃと、シート本体部６４ｃの外周部に平坦状に形成され、支持片６８ｄに対応して配置された平坦部７４ｃと、を有する。
【００５７】
以下、図７を参照しながら、実施の形態１に係る表示装置２の効果について説明する。
【００５８】
図７は、実施の形態１における表示装置２の効果を説明するための図である。図７の（ａ）は、比較例として示す表示装置が備える光学シート１００における光の反射を説明するための図である。図７の（ｂ）は、実施の形態１の表示装置２が備える光学シート１８ｂ（１８ｃ）における光の反射を説明するための図である。
【００５９】
図７の（ａ）に比較例として示す表示装置の光学シート１００は、拡散シートである。光学シート１００は、正面視で（Ｙ軸方向に見たときに）矩形状のシート本体部１０２（全体の形状は図示せず）と、シート本体部１０２の下端部（Ｚ軸負方向側の端部）から下方（Ｚ軸負方向）に突出した支持片１０４と、を有している。また、支持片１０４には挿通孔１０６が形成されている。シート本体部１０２に入射した光の大部分は、シート本体部１０２を、シート本体部１０２の厚み方向（Ｙ軸方向）に透過して、シート本体部１０２から出射する。このとき、シート本体部１０２に入射した光の一部は、シート本体部１０２の内部において、シート本体部１０２の厚み方向（Ｙ軸方向）に直交する方向（Ｘ−Ｚ平面内における任意の方向）に進行する。
【００６０】
図７の（ａ）に示すように、シート本体部１０２の内部（Ｘ−Ｚ平面内）を進行する光の一部は、ａ）シート本体部１０２の下端部（Ｚ軸負方向側の端部）で反射して反射光Ｒ１となり、他の一部は、ｂ）支持片１０４の下端部（Ｚ軸負方向側の端部）で反射して反射光Ｒ２となり、さらに他の一部は、ｃ）挿通孔１０６の周縁部で反射して反射光Ｒ３となる。このとき、反射光Ｒ２の光路長は、反射光Ｒ１およびＲ３の各々の光路長よりも長い。そのため、反射光Ｒ２の光量は、シート本体部１０２の内部で、反射光Ｒ１およびＲ３よりも減衰する。これにより、反射光Ｒ２の光量は、反射光Ｒ１およびＲ３の各々の光量よりも低下する。その結果、液晶セル（図示せず）の外周部においては、支持片１０４の周辺で明るさムラが発生しやすい。
【００６１】
これに対して、本実施の形態に示す表示装置２では、光学シート１８ｂ（１８ｃ）は、シート本体部６４ｂ（６４ｃ）の外周部に平坦状に形成され、支持片６８ｄに対応して配置された平坦部７４ｂ（７４ｃ）を有する。
【００６２】
このように構成された表示装置２では、図７の（ｂ）に示すように、シート本体部６４ｂ（６４ｃ）に入射してシート本体部６４ｂ（６４ｃ）の内部（Ｘ−Ｚ平面内）を進行する光の一部は、ａ）シート本体部６４ｂ（６４ｃ）の下端部（Ｚ軸負方向側の端部）で反射して反射光Ｒ４となり、他の一部は、ｂ）平坦部７４ｂ（７４ｃ）で反射して反射光Ｒ５となる。このとき、反射光Ｒ５の光路長は、反射光Ｒ４の光路長とほぼ等しい。そのため、反射光Ｒ５の光量は、反射光Ｒ４の光量とほぼ等しくなる。その結果、表示装置２では、比較例として図７の（ａ）に示した表示装置と比較した場合に、液晶セル２２の外周部において、支持片１０４の位置に対応する平坦部７４ｂ（７４ｃ）の周辺で明るさムラが発生するのを抑制することができる。
【００６３】
当該表示装置は、さらに、第２の光学シートとバックライトとの間に配置された第３の光学シートを備えてもよい。第３の光学シートは、第３のシート本体部と、第３のシート本体部の外周部から側方に突出し、第１の支持片と重ね合わされた状態で支持部材に支持される第２の支持片と、を有していてもよい。
【００６４】
なお、光学シート１８ａは第３の光学シートの一例である。シート本体部６４ａは第３のシート本体部の一例である。支持片６８ａは第２の支持片の一例である。
【００６５】
例えば、実施の形態１に示した例では、表示装置２は、さらに、光学シート１８ｂ（１８ｃ）とバックライト１４との間に配置された光学シート１８ａを備える。光学シート１８ａは、シート本体部６４ａと、シート本体部６４ａの外周部から側方（例えば、下方、Ｚ軸負方向）に突出し、支持片６８ｄと重ね合わされた状態でモールドフレーム１６ｂに支持される支持片６８ａと、を有する。
【００６６】
このように構成された表示装置２では、光学シート１８ｂ（１８ｃ）を、光学シート１８ａと光学シート１８ｄとの間に挟持して固定することができる。
【００６７】
当該表示装置において、第１の支持片には、第１の挿通孔が形成されていてもよい。第２の支持片には、第２の挿通孔が形成されていてもよい。支持部材は、第１の挿通孔と第２の挿通孔とに挿通される突部を有していてもよい。
【００６８】
なお、挿通孔７２ｄは第１の挿通孔の一例である。挿通孔７２ａは第２の挿通孔の一例である。突部８２は突部の一例である。
【００６９】
例えば、実施の形態１に示した例では、表示装置２において、支持片６８ｄには、挿通孔７２ｄが形成され、支持片６８ａには、挿通孔７２ａが形成されている。モールドフレーム１６ｂは、挿通孔７２ｄと挿通孔７２ａとに挿通される突部８２を有する。
【００７０】
このように構成された表示装置２では、光学シート１８ａおよび１８ｄをモールドフレーム１６ｂに容易に支持させることができる。
【００７１】
当該表示装置において、第２の光学シートの透過率は、第１の光学シートおよび第３の光学シートの各々の透過率よりも高くてもよい。
【００７２】
例えば、実施の形態１に示した例では、表示装置２において、光学シート１８ｂの可視光の透過率は、光学シート１８ｄおよび光学シート１８ａの各々の可視光の透過率よりも高い。また、光学シート１８ｃの可視光の透過率は、光学シート１８ｄおよび光学シート１８ａの各々の可視光の透過率よりも高い。
【００７３】
仮に、比較的透過率の高い光学シート１８ｂ（１８ｃ）に支持片を設けたとする。この場合には、図７を用いて説明したように、液晶セル２２の外周部における当該支持片の周辺で明るさムラが発生する可能性がある。しかし、本実施の形態に示す表示装置２では、光学シート１８ｂおよび１８ｃの各々に支持片を設けない構成とする。これにより、液晶セル２２の外周部において明るさムラが発生するのを効果的に抑制することができる。
【００７４】
当該表示装置において、第３の光学シートは、バックライトからの光を拡散させる拡散シートであってもよい。第２の光学シートは、第３の光学シートにより拡散された光を集光するプリズムシートであってもよい。第１の光学シートは、第２の光学シートにより集光された光を偏光させる反射型偏光シートであってもよい。
【００７５】
例えば、実施の形態１に示した例では、表示装置２において、光学シート１８ａは、バックライト１４から出射した光を拡散させる拡散シートである。光学シート１８ｂおよび１８ｃの各々は、光学シート１８ａにより拡散された光を集光するプリズムシートである。光学シート１８ｄは、光学シート１８ｂおよび１８ｃにより集光された光を偏光させる反射型偏光シートである。
【００７６】
仮に、比較的透過率の高いプリズムシートで形成された光学シート１８ｂ（１８ｃ）に支持片を設けたとする。この場合には、図７を用いて説明したように、液晶セル２２の外周部における当該支持片の周辺で明るさムラが発生する可能性がある。しかし、本実施の形態に示す表示装置２では、光学シート１８ｂおよび１８ｃの各々に支持片を設けない構成とする。これにより、液晶セル２２の外周部において明るさムラが発生するのを効果的に抑制することができる。
【００７７】
（他の実施の形態）
以上のように、本出願において開示する技術の例示として、実施の形態１を説明した。しかしながら、本開示における技術は、これに限定されず、変更、置き換え、付加、省略等を行った実施の形態にも適用できる。また、上記実施の形態１で説明した各構成要素を組み合わせて、新たな実施の形態とすることも可能である。
【００７８】
そこで、以下、他の実施の形態を例示する。
【００７９】
実施の形態１では、表示装置２が液晶テレビジョン受像機である構成例を説明したが、本開示は何らこの構成例に限定されない。表示装置２は、例えばパーソナルコンピュータ用の液晶ディスプレイまたは有機ＥＬ（Ｅｌｅｃｔｒｏ  Ｌｕｍｉｎｅｓｃｅｎｃｅ）ディスプレイ等の種々の表示装置であってもよい。
【００８０】
実施の形態１では、表示装置２が４枚の光学シート１８ａ、１８ｂ、１８ｃおよび１８ｄを備える構成例を説明したが、本開示は何らこの構成例に限定されない。表示装置２が備える光学シートは、４枚以上であってもよく、４枚未満であってもよい。例えば、表示装置２は、光学シート１８ａ、１８ｂ、１８ｃおよび１８ｄのうちの２枚の光学シート（例えば、光学シート１８ｃおよび１８ｄ、等）のみを備える構成であってもよい。
【００８１】
実施の形態１では、表示装置２において、光学シート１８ａおよび１８ｄの各々の外周部をモールドフレーム１６ｂが支持する構成例を説明したが、本開示は何らこの構成例に限定されない。例えば、モールドフレーム１６ｂに代えて下フレーム１２がそれらを支持するように表示装置２を構成してもよい。この構成例の場合、下フレーム１２は支持部材の一例である。
【００８２】
実施の形態１では、表示装置２に拡散シートで形成された光学シート１８ａを設ける構成例を説明したが、本開示は何らこの構成例に限定されない。例えば、表示装置２を、光学シート１８ａを省略し、導光板３６の主面５０に拡散層を形成する構成としてもよい。
【００８３】
実施の形態１では、光学シート１８ｂ（１８ｃ）のシート本体部６４ｂ（６４ｃ）の下端部に平坦部７４ｂ（７４ｃ）を設ける構成例を説明したが、本開示は何らこの構成例に限定されない。例えば、表示装置２を、シート本体部６４ｂ（６４ｃ）の上端部および下端部の各々に平坦部を設ける構成としてもよい。この構成例の場合であっても、表示装置２では、光学シート１８ｂ（１８ｃ）を、光学シート１８ａと光学シート１８ｄとの間に挟持して固定することができる。
【００８４】
なお、一般的には、表示装置２を視聴するユーザから見たときに、液晶セル２２の上端部（Ｚ軸正方向側の端部）における明るさムラよりも、液晶セル２２の下端部（Ｚ軸負正方向側の端部）における明るさムラの方が目立つ傾向にある。そのため、実施の形態１に示した表示装置２のように、光学シート１８ｂ（１８ｃ）のシート本体部６４ｂ（６４ｃ）の下端部（Ｚ軸負正方向側の端部）にのみ平坦部７４ｂ（７４ｃ）を設けた構成であっても、明るさムラの発生を十分に抑制することができる。
【００８５】
実施の形態１では、表示装置２が、光学シートのシート本体部の上端部から上方に突出する支持片と、シート本体部の下端部から上方に突出する支持片とを備える構成例を示したが、本開示は何らこの構成例に限定されない。表示装置２は、例えば、光学シートのシート本体部の右端部から右方向に突出する支持片と、シート本体部の左端部から左方向に突出する支持片とを備えていてもよい。そして、それらの支持片をモールドフレーム１６ｃおよび１６ｄが支持する構成であってもよい。
【００８６】
以上のように、本開示における技術の例示として、実施の形態を説明した。そのために、添付図面および詳細な説明を提供した。
【００８７】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００８８】
また、上述の実施の形態は、本開示における技術を例示するためのものであるから、特許請求の範囲またはその均等の範囲において種々の変更、置き換え、付加、省略などを行うことができる。
【産業上の利用可能性】
【００８９】
本開示は、画像を表示するための表示装置に適用可能である。具体的には、例えば液晶テレビジョン受像機等の表示装置に、本開示は適用可能である。
【符号の説明】
【００９０】
２    表示装置
４    筐体
６    表示ユニット
８    スタンド
１０    フロントキャビネット
１２    下フレーム
１４    バックライト
１６ａ，１６ｂ，１６ｃ，１６ｄ    モールドフレーム
１８ａ，１８ｂ，１８ｃ，１８ｄ，１００    光学シート
２０    固定金具
２２    液晶セル
２４    ベゼル
２６    支持部
２８    側壁部
３２ａ，３２ｂ    放熱板
３４ａ，３４ｂ    ＬＥＤバー
３６    導光板
３８    反射シート
４０ａ，４０ｂ    放熱部
４２ａ，４２ｂ    取付部
４４    上側面
４５    下側面
４６ａ，４６ｂ    基板
４８ａ，４８ｂ    ＬＥＤ
５０    主面
５２，５６    背面
５４，５８，６２    クッション部材
６０    表示面
６４ａ，６４ｂ，６４ｃ，６４ｄ，１０２    シート本体部
６６ａ，６６ｂ，６６ｃ，６６ｄ，６８ａ，６８ｄ，１０４    支持片
７０ａ，７０ｂ，７０ｃ，７０ｄ，７２ａ，７２ｄ，１０６    挿通孔
７４ｂ，７４ｃ    平坦部
７６，８０    切り欠き部
７８，８２    突部
Ｒ１，Ｒ２，Ｒ３，Ｒ４，Ｒ５    反射光
【図１】
2018180653.tif 000003
【図２】
2018180653.tif 000004
【図３】
2018180653.tif 000005
【図４】
2018180653.tif 000006
【図５】
2018180653.tif 000007
【図６】
2018180653.tif 000008
【図７】
2018180653.tif 000009
【国際調査報告】
2018180653.tif 000010
2018180653.tif 000011
2018180653.tif 000012
2018180653.tif 000013